(57)【要約】【課題】真空吸引を行う場合、柔軟なカップ構造が形を変化させてへこみ、全体が人体肌に密着、また、カップ内側縁に設置したマッサージ本体のマッサージ・揉み掴む作用によって、乳腺とツボを刺激する、真空吸引用カップの構造を提案する。【解決手段】カップは主に真空吸引機に組み合わせて使用する。真空吸引機は人体の豊胸もしくは陰莖増大等の効果を持つ。カップを公知技術の硬式プラスチック材質から軟式シリカジェル材質に換え、特に、カップ内側縁面の任意箇所に若干のマッサージ本体を設置したものである。【選択図】図２
0003139089.tif 000002
【実用新案登録請求の範囲】
【請求項１】
真空吸引用カップの構造において、該カップは、形が変化する軟式材料で製作し、それは中空空間を備え、その内側縁面には任意に若干のマッサージ本体を設置し、カップ一端には連接部を備え、その中には貫通孔を設けることを特徴とする、真空吸引用カップの構造。
【請求項２】
前記カップは、真空吸引機に組み合わせて使用し、該真空吸引機は、適当な箇所に連接座を設け、その間にエア抜き孔を設けることを特徴とする、請求項１記載の真空吸引用カップの構造。
【請求項３】
前記カップは、若干中空半円形もしくは中空長柱形であることを特徴とする、請求項１記載の真空吸引用カップの構造。
【請求項４】
前記カップの周囲縁は、若干硬い材料で製作し、該カップには軟硬二種類の異なる材質を複合することを特徴とする、請求項１記載の真空吸引用カップの構造。
【請求項５】
前記該カップは、シリカジェルを材料として製作することを特徴とする、請求項１記載の真空吸引用カップの構造。
【請求項６】
前記マッサージ本体は、突出体、半円球状、長肋骨状の内の一種もしくは複合構造であることを特徴とする、請求項１記載の真空吸引用カップの構造。
【請求項７】
前記カップ内側縁面には、直接、非平坦状構造を設計し、規則的もしくは不規則な凹凸状態を形成することを特徴とする、請求項１記載の真空吸引用カップの構造。
【請求項８】
前記カップ底部には、乳集結器を設けることを特徴とする、請求項１記載の真空吸引用カップの構造。
【考案の詳細な説明】
【技術分野】
【０００１】
本考案の真空吸引用カップの構造は、主に真空吸引機に連結するカップに関するものであり、該カップは、人体の特定部位に被覆することも可能で、真空吸引作用やツボを刺激してのマッサージ作用等を持つ軟式の新しい構造である。
【背景技術】
【０００２】
ほとんどの女性は、完全な美しさ、たおやかなボディ、凹凸のある曲線ラインを追求しており、それらは多くの女性が努力して達成しようとしている目標である。しかし、先天発育不全で、胸が平坦になりすぎている女性も一部いる。医学報告において、適当に乳房を吸引し乳腺を刺激すれば、乳房発育効果があると指摘されている。そこで、業界では人体用真空吸引機が開発されており、それはエアポンプ装置にチューブとカップを組み合わせ、カップを乳房上に被覆し、エアポンプ装置の吸引作用によって、乳房を適当に吸引して豊胸する効果を達成するものである。公知の真空吸引機のカップは全て、硬式プラスチック材料で製作しており、エアポンプ作用を組み合わせて真空吸引を行うが、実際において乳腺の刺激効果には限りがある欠点に鑑み、考案人は改善を決心した。考案人は幾度の研究と試作を重ね、ついに本案の完成となった。本案の提案により公知の真空吸引法の効用に改善がもたらされることを期待する。
【考案の開示】
【考案が解決しようとする課題】
【０００３】
公知の真空吸引機のカップは、全て硬式プラスチック材料で製作されており、エアポンプ作用を組み合わせて真空吸引を行うが、実際において乳腺の刺激効果には限りがあるという欠点がある。
【課題を解決するための手段】
【０００４】
本考案の主な目的は、真空吸引機に組み合わせて使用するカップを提供することにあり、該カップを軟式構造にし、軟硬に適するシリカジェル等の材料により製作、並びに、カップ内側縁面の任意箇所に若干のマッサージ本体を設置し、これにより、真空吸引機を組み合わせたカップが真空吸引を行う場合、柔軟なカップの構造が真空作用によって形を変化させてへこみ、全体が人体肌に密着するものであり、加えて、カップ内側縁に設置したマッサージ本体には、マッサージ・揉み掴むことに類似する接触性作用があり、乳腺とツボの刺激に対し直接的な効果を有する故、公知の非接触性真空吸引方式に比べ、更なる効果を備えるものである。
【０００５】
前述のカップ内側縁面の任意箇所に設置したマッサージ本体は、形状を制限せず、配置状態・位置・方向を制限しない突出体状もしくは突出肋骨体状とすることも可能である。
【０００６】
前述のカップ内側縁面は、直接、非平坦状構造に設計してもよい。即ち、内側縁面を規則的もしくは不規則な凹凸状態とし、それは同様にマッサージ効果を持つものである。
【考案の効果】
【０００７】
以上説明したように、真空吸引機を組み合わせたカップによって真空吸引を行う場合、柔軟なカップ構造が形を変化させてへこみ、全体が人体肌に密着、また、カップ内側縁に設置したマッサージ本体のマッサージ・揉み掴む作用によって、乳腺とツボを刺激することを特徴とする。
【考案を実施するための最良の形態】
【０００８】
本考案の真空吸引用カップの構造の組立て構成要素、及び、効果に関する良好な実施例を、図面を組み合わせて、下記のとおり詳細説明する。
【０００９】
図１と図２に示す本考案において、該カップ1は、真空吸引機2上に連結する。
【００１０】
該カップ1は、軟式構造であり、軟硬に適するシリカジェル材料で製作するが、これに制限されるものではない。カップ1で乳房3を吸引し使用する場合、若干、中空半円体を成し、内部に一つの空間11を形成、カップ1の一端には連接部12を備え、その中に貫通孔13を設ける。該カップ1内側縁面、即ち空間11の周囲縁には、任意に若干のマッサージ本体14を設ける。本実施例のマッサージ本体14は、突出体もしくは半球状である。また、カップには周囲縁15を設け、その周囲縁15は、乳房3脇の身体と接触している故、真空状態にする場合に周囲縁15の変形により空気が進入し真空状態でなくなるのを防止しており、該周囲縁15は、若干硬く変形しない材料で製作する。
【００１１】
該真空吸引機2は、エアポンプの吸引作用を備えており、適当箇所に連接座21を設け、その間にエア抜き孔22を設けるが、該形状と構造は本考案の重点ではない。
【００１２】
本考案のカップ1は、軟硬に適する材料で製作するが、通常は図１のような定形状態である。図３に乳房3に応用して吸引した場合を示す。カップ1を乳房3の外側に被覆し、並びに、カップ1と真空吸引機2を連結し、真空状態になる前は、カップ1と乳房3間に隙間が存在するが、真空にする為に空気を抜き始めた後は、カップ1内部の空気が継続的に外側に抜かれて、カップ1がへこみ内側に収縮、形を変化させると、カップ1と乳房3の密着関係が形成される。この時、カップ1内部のマッサージ本体14が更に直接、乳房3に接触、乳腺やツボに直接的な刺激作用(図４参照)を引き起こす。また、真空吸引機2は継続的に空気を抜くのではなく、休みを入れながら空気を抜き、圧力を解放して空気を排出するものであり、並びに往復サイクルする。よって、該カップ1もまたこれに従い形を変化させて陥没したり、原状回復する等は同様のサイクルとなり、カップ1は乳房3に対して揉んだり掴んだり、マッサージする効果を生じさせる。それら使用状態と機能は、公知技術の構造では達成できないものである。
【００１３】
前述カップ1は、乳房3に組み合わせて使用する以外、男性の陰莖4においても使用可能である。図５に示すとおり、該カップ5は、長柱中空状とし、同様に軟硬に適する材料で製作、内部にはマッサージ本体54を設置する。真空吸引をする場合、カップ5は適当にへこみ(図６参照)、該マッサージ本体54は直接陰莖4ツボを刺激して、増大作用を引き起こす。
【００１４】
図７のとおり、本実施例において、該マッサージ本体16は、長形放射状肋骨体構造であり、同様にマッサージ効果を持つものである。
【００１５】
図８に示したのは、図５の実施例であるが、これは陰道に応用したものである。陰道に緩みや尿失禁等の病状がある場合、カップ5に一つの棒體6を組み合わせて陰道に入れ、カップ5による真空吸引時に連続発生する収縮、解放作用を利用して、陰道に收縮、解放作用を持たせ、陰道の緩みや尿失禁等の症状を改善する。
【００１６】
図９に示した本考案のカップ1は、適当な箇所に乳集結器16を設置したものであり、本考案の特殊構造を利用して、乳腺を十分にマッサージし、お乳の分泌を増進させて、哺乳に役立たせるものである。
【図面の簡単な説明】
【００１７】
【図１】本考案のカップを真空吸引機に組み合わせ使用した場合の立体分解図
【図２】本考案のカップを真空吸引機に組み合わせ使用した場合の立体組立図
【図３】本考案のカップを乳房に被覆した場合の見取図
【図４】本考案のカップを乳房に被覆し真空吸引をした場合の動作状態図
【図５】本考案のカップを陰莖に被覆した場合の見取図で
【図６】本考案のカップを陰莖に被覆し真空吸引をした場合の動作状態図
【図７】本考案中のマッサージ本体のもう一つの実施例
【図８】本考案を陰道に応用し引き締め運動をした場合の見取図
【図９】本考案を乳收集時に応用した見取図
【符号の説明】
【００１８】
１      カップ
１１    空間
１２    連接部
１３    貫通孔
１４    マッサージ本体
１５    周囲縁
１６    マッサージ本体
２      真空吸引機
２１    連接座
２２    エア抜き孔
３      乳房
４      陰莖
５      カップ
５４    マッサージ本体
６      棒體
７      陰道脇肌肉
【図１】
0003139089.tif 000003
【図２】
0003139089.tif 000004
【図３】
0003139089.tif 000005
【図４】
0003139089.tif 000006
【図５】
0003139089.tif 000007
【図６】
0003139089.tif 000008
【図７】
0003139089.tif 000009
【図８】
0003139089.tif 000010
【図９】
0003139089.tif 000011